(57)【要約】      （修正有）【課題】しっかりと閉鎖することができ、安全に保管できるロックキャップ付き投与装置を提供する。【解決手段】容器と、回転可能な投与構造つまり噴出口アセンブリと、ロック構造つまりロックキャップとを有する投与装置。噴出口アセンブリは閉鎖位置と開放投与位置との間で回転可能であり、ロックキャップは噴出口アセンブリ拘束位置と解放位置との間で摺動可能である。容器は、一対の側方溝と、一対の側方棚と、横溝とを含んでいる。ロックキャップは、容器側方溝と係合するための一対の刃と、容器側方棚と係合するための一対のレールと、容器横溝と係合するための横鍔とを含んでいる。【選択図】図１
0003143955.tif 000002
【実用新案登録請求の範囲】
【請求項１】
開口を有する容器と、
この容器に前記開口において接続されており、閉鎖位置と開放位置との間の移動に備えて取り付けられている、投与構造と、
ロック構造であって、前記投与構造を移動しない様に固定し且つ前記投与構造を前記閉鎖位置に留めるために前記ロック構造が前記投与構造に接触する拘束位置と、前記投与構造が移動可能な解放位置との間の、選択的移動のために前記容器に摺動可能に取り付けられている、前記ロック構造と
を具備する投与装置。
【請求項２】
前記容器が一対の側方構造を含んでおり、
前記容器の前記側方構造との摺動係合のための一対の側方構造を前記ロック構造が含んでいる、請求項１に記載の装置。
【請求項３】
前記一対の容器側方構造の終端における一対の突合せ面を前記容器が含んでおり、
前記容器突合せ面と係合するための、前記ロック側方構造の終端における一対の突合せ面を、前記ロック構造が含んでいる、請求項２に記載の装置。
【請求項４】
第二対の側方構造を前記容器が含んでおり、
前記第二対の容器側方構造に沿って摺動するための第二対の側方構造を前記ロック構造が含んでいる、請求項１に記載の装置。
【請求項５】
前記ロック構造が孔及び斜面を含んでおり、
この斜面を押して前記ロック構造を曲げ且つ前記投与構造を固定するために前記ロック構造の前記孔内に受け入れられるための突起を、前記投与構造が含んでいる、請求項１に記載の装置。
【請求項６】
前記ロック構造が柔軟な材料で形成されている、請求項５に記載の装置。
【請求項７】
上方壁を有する横構造を前記容器が含んでおり、
前記横構造の隣接している前記上方壁を摺動させるための横鍔を前記ロック構造が含んでいる、請求項１に記載の装置。
【請求項８】
前記容器が突起を含んでおり、
前記投与構造が案内鍔を含んでいる、請求項１に記載の装置。
【請求項９】
前記投与構造が突合せ面を含んでおり、
前記投与構造が前記閉鎖位置にあるときに前記投与構造の前記突合せ面に係合するための突合せ面を前記容器が含んでいる、請求項１に記載の装置。
【請求項１０】
前記第二対のロック構造側方構造を支持するための中間鍔を前記ロック構造が含んでいる、請求項１に記載の装置。
【請求項１１】
前記投与構造が前記閉鎖位置にあり且つ前記ロック構造が前記拘束位置にあるときに、前記投与構造が前記容器用の把手を形成する、請求項１に記載の装置。
【請求項１２】
前記容器が第一対の側方構造を含んでおり、
前記容器の前記第一対の側方構造との摺動係合のための第一対の側方構造を前記ロック構造が含んでおり、
前記容器が第二対の側方構造を含んでおり、
前記第二対の容器側方構造に沿って摺動するための第二対の側方構造を前記ロック構造が含んでいる、請求項１に記載の装置。
【請求項１３】
前記ロック構造が孔及び斜面を含んでおり、
この斜面を押して前記ロック構造を曲げ且つ前記投与構造を固定するために前記ロック構造の前記孔内に受け入れられるための突起を、前記投与構造が含んでいる、請求項１２に記載の装置。
【請求項１４】
前記ロック構造が柔軟な材料で形成されている、請求項１３に記載の装置。
【請求項１５】
上方壁を有する横構造を前記容器が含んでおり、
前記容器横構造の隣接している前記上方壁を摺動させるための横鍔を前記ロック構造が含んでいる、請求項１４に記載の装置。
【請求項１６】
前記容器が突起を含んでおり、
前記投与構造が横鍔と突合せ面とを含んでおり、
前記投与構造が前記閉鎖位置にあるときに前記投与構造の前記突合せ面に係合するための突合せ面を前記容器が含んでいる、請求項１５に記載の装置。
【請求項１７】
前記ロック構造が孔及び斜面を含んでおり、
この斜面を押して前記ロック構造を曲げ且つ前記投与構造を固定するために前記ロック構造の前記孔内に受け入れられるための突起を、前記投与構造が含んでおり、
前記ロック構造が柔軟な材料で形成されている、請求項１に記載の装置。
【請求項１８】
前記容器が突起を含んでおり、
前記投与構造が案内鍔と突合せ面とを含んでおり、
前記投与構造が前記閉鎖位置にあるときに前記投与構造の前記突合せ面に係合するための突合せ面を前記容器が含んでいる、請求項１７に記載の装置。
【請求項１９】
前記投与構造が前記閉鎖位置にあり且つ前記ロック構造が前記拘束位置にあるときに、前記投与構造が前記容器用の把手を形成する、請求項１８に記載の装置。
【請求項２０】
前記投与構造が突合せ面を含んでおり、
前記投与構造が前記閉鎖位置にあるときに前記投与構造の前記突合せ面に係合するための突合せ面を前記容器が含んでおり、
前記投与構造が前記閉鎖位置にあり且つ前記ロック構造が前記拘束位置にあるときに、前記投与構造が前記容器用の把手を形成する、請求項１に記載の装置。
【考案の詳細な説明】
【技術分野】
【０００１】
本考案は、投与装置、もっと詳細に言うと、投与アセンブリとこの投与アセンブリを閉鎖位置に拘束するための摺動可能なロックキャップとを有する投与装置に関するものである。
【背景技術】
【０００２】
米国特許第５，９９６，８５８号によって例示されている様に、投与装置、特に芝生用肥料と雑草防除との組合せの様な芝生管理用製品のための投与装置が知られている。芝生用製品はしばしば微粒子状または粒状であるが液状かもしれず、これらの芝生用製品は、開放状態の装置を保持している消費者によって、予め決められた経路に沿って定められた速度で歩きながら、散布される。これらの装置には、一体の把手付きのプラスチック成形容器に取り付けられている回転可能な噴出口がある。あるものにはカバーがあり、別のものには分離した摘みがあり、またあるものにはそれらの両方がある。
【特許文献１】米国特許第５，９９６，８５８号明細書
【考案の開示】
【考案が解決しようとする課題】
【０００３】
芝生用製品は推奨されている方法で扱われなければならず、投与装置はしっかり閉鎖されて安全な場所に保管されるべきである。その様な投与装置を設計するときは、費用、使い易さ及び信頼できる構造も重要である。
【課題を解決するための手段】
【０００４】
容器を含む投与装置であって、開口と、この開口において上記容器に接続されており閉鎖位置と開放投与位置との間で移動可能な投与構造と、上記容器に取り付けられており拘束位置と解放位置との間で選択的に摺動可能なロック構造とを有する、上記投与装置が本明細書に記載されている。
【０００５】
本考案と本考案のその他の目的、利点及び特徴との完全な理解は本明細書を考察することによって得られ、本明細書には、米国特許法第１１２条第１段落に従って、本考案と本考案を製造し使用する仕方や方法との説明が、本考案の属する技術分野または最も近い関係にある技術分野の熟練者なら誰でも本考案を製造し使用することができる様に、十分に明瞭、簡潔且つ適切な用語で記載されている。更に、ここに提供されている添付図面と共に読まれる本考案の好ましい実施形態の以下の記載は、米国特許法第１１２条第１段落に従って、本考案の実施例を示しているが、本考案自体は願書に添付されている請求の範囲中に定義されている。
【考案を実施するための最良の形態】
【０００６】
本考案は種々の変更及び代替構造に開放されているが、米国特許法第１１２条第１段落に従って、自らの考案を実施する考案者によって熟考された最良の形態を例証している好ましい実施形態が図面の種々の図に示されており本明細書中で詳細に説明される。しかし、本明細書中に開示されている特定の実施形態、外観または実施例に本考案を限定する意図のないことが理解される。それとは逆に、米国特許法第１１２条第２段落に従って、総ての変更、等価な構造及び方法、並びに願書に添付されている請求の範囲中に表現されている様な本考案の精神及び範囲に属する代替構造を包含することが意図されている。
【０００７】
本考案の投与装置１０が、図１、２に示されており、容器つまりボトル１２と、投与構造つまり噴出口アセンブリ１４と、ロック構造つまりロックキャップつまりロックスリーブ１６とを含んでいる。投与装置１０は、肥料や雑草防除剤等やこれらの組合せを含む微粒子状または粒状の製品の様な芝生管理用製品に特に有用であろう。この投与装置の投与構造つまり噴出口アセンブリ１４は、略水平な軸１８の周りに、図１に示されている閉鎖位置と図２に示されている開放投与位置との間で、回転つまり旋回する。ロックキャップつまりロックスリーブ１６は、二つの位置、つまり図１に示されている噴出口アセンブリ拘束位置と図２に示されている噴出口アセンブリ解放位置との間で摺動可能である。ロック構造つまりロックキャップがその拘束位置にあると、噴出口構造つまり噴出口アセンブリは図１に最もよく示されているその閉鎖位置に固定されている。ロックキャップが図２に最もよく示されているその解放位置へ動かされると、投与構造は軸１８の周りにその閉鎖位置からその開放投与位置へ回転できる様になる。
【０００８】
投与装置１０は、簡単に組み立てられ、頑丈であり、比較的安価で且つ作動中は信頼でき、消費者によって容易に操作される。容器の中身を部分的に投与してその後に保管及び後の使用のために投与装置を閉じることができる様に、この投与装置は再封止可能である。本考案の投与装置の別の利点は、図１に示されている様に噴出口アセンブリが閉鎖位置にあって且つロックキャップが拘束位置にあれば、投与装置を持ち運ぶための把手として噴出口アセンブリを使用することができるということである。
【０００９】
それでは図３−７に言及すると、容器つまりボトル１２がもっと詳細に示されている。この容器は当業者に周知の適切なプラスチック材料で二つの部分に成形されていてよい。この容器は本体２０と一体把手２２とを含んでいてよい。この把手は、容器１２の後部近傍に手開口２４を成形することによって形成されている。この容器は、対向側壁３０、３２と、前壁３４と、後壁３６と、底壁３７と、三つの小部分つまり区画を有する頂部３８とを含んでいる。頂部の中間壁区画４０は湾曲しており、頂部の前方区画４２は容器の内部への開口４４と銃剣型突起４８、５０、５２付きの円筒リム４６とを含んでおり、頂部の後方区画５４は平坦頂面５６及び湾曲側面５８を有するロックキャップ台を形成している。頂部３８の後方区画５４の略中心に、円筒状突起６０が置かれている。なお、この容器は本考案から逸脱することなく多くの異なる外観及び形状で設計されてよい。
【００１０】
噴出口構造つまり噴出口アセンブリ１４が図８−１２にもっと詳細に示されている。この噴出口アセンブリは、カラー７０と、回転軸構造７１と、導管７２とを含んでいてよい。カラー７０には、容器１２のリム４６における銃剣突起４８、５０、５２（図３、４）を係合させるための内部突起（図示せず）と、対向開口７６、７８付きの対向塔７３、７４とがあってよい。このカラーは通路７９をも含んでいてよい。開口７６、７８には、回転軸構造７１の耳軸８０、８２が取り付けられている。この回転軸構造は、軸１８の周りに回転可能であり、接続管８６及び湾曲体部８８をも含んでいる。接続管８６は、湾曲体部８８の内壁９２で終わる通路９０を含んでいる。壁９２は、湾曲体部８８内の通路９３を定めることを助けている。
【００１１】
中央通路１０２と、外壁部１０４と、突合せ面つまり突合せ端１０７付きの中央壁部１０６と、一対の分流壁１０８、１１０と、一対の案内鍔１１２、１１４と、頂部突起１１６とを有する導管７２をも、噴出口構造つまり噴出口アセンブリが含んでいてよい。カラー７０の通路７９は、容器１２の内部及び回転軸構造７１内の通路９０、９３と通じている。導管通路１０２が回転軸通路９０、９３とも通じる様に、回転軸構造７１の接続管８６は導管７２によって受け入れられている。噴出口アセンブリが図２に示されている開放投与位置にあると、通路７９、９０、９３、１０２は互いに且つ容器の内部と通じている。この構成は、図２に示されている姿勢から約９０度回転した姿勢にある投与装置を保持しながら定められた速度で予め決められた経路に沿って容器内の製品の使用者が歩くときに、製品が通路７９、９０、９３、１０２を通って分流壁１０８、１１０へ送り込まれることを可能にしている。
【００１２】
図１に示されている閉鎖位置に噴出口アセンブリがあれば、容器からの製品の流出を防止するために、回転軸７１の内壁９２がカラー７０内の通路７９を封鎖する。なお、噴出口構造つまり噴出口アセンブリは本考案から逸脱することなく多くの異なる外観に設計されてよい。
【００１３】
ロック構造つまりロックキャップ１６が図１３−１７にもっと詳細に示されている。このロックキャップは、約１．５ｍｍの肉厚のポリプロピレンランダム共重合体の様な柔軟な材料で形成された一片成形部で作られていてよい。ロックキャップ１６は、略円形の側壁１２０と、頂壁１２２と、一対の側方鍔１２８、１３０に一体である一対の第一側方構造つまり刃１２４、１２６とを含んでおり、これらの刃には一対の終端壁１３２、１３４がある。ロックキャップは、中間鍔１４４に一体の第二対の側方構造つまりレール１４０、１４２をも含んでいてよい。ロックキャップは、筋交い１４８付きの横後方構造つまり鍔１４６と、斜面鍔１５２に隣接している頂壁１２２の孔１５０と、二つの案内鍔１５４、１５６とをも含んでいてよい。
【００１４】
頂壁孔１５０は、噴出口アセンブリの頂部突起１１６を受け入れる寸法になっている。ロックキャップ１６がそのロック位置つまり拘束位置へ動かされるに連れて、噴出口アセンブリの頂部突起１１６が斜面鍔１５２を押し、頂壁１２２の唇部１６０を上方へ曲げて、頂部突起１１６の通過を可能にする。その後、頂部突起１１６とロックキャップの頂壁１２２の孔１５０とが整列されると、唇部１６０は下方へ急に戻る。このことが、図１に示されている様に噴出口アセンブリ１４とロックキャップ１６とを固定つまりロックする。案内鍔１５４、１５６は、頂部突起１１６をロックキャップの孔１５０へ向かって案内する。
【００１５】
容器頂部３８の後方区画５４（図３−７）は、ロックキャップ１６を取り付けて、図２に示されているその解放位置と図１に示されているその拘束位置との間でロックキャップが摺動することを可能にする様に、特別に設計されている。容器の後方区画５４は、一対の突合せ壁１７４、１７６で終わる第一対の側方構造つまり側方溝１７０、１７２と、第二対の側方構造つまり側方棚１７８、１８０と、横構造つまり横溝１８２とを含んでいてよい。横溝１８２は、ロックキャップ１６の横鍔１４６（図１、１３−１７）と筋交い１４８とを受け入れるために置かれている。側方棚１７８、１８０はロックキャップ１６のレール１４０、１４２を係合させるための表面を提供しており、側方溝１７０、１７２はロックキャップ１６の刃１２４、１２６を受け入れるために形成されている。ロックキャップ刃の終端壁１３２、１３４は、容器１２の側方溝１７０、１７２を終わらせている突合せ壁１７４、１７６を係合させるために置かれている。
【００１６】
ロックキャップ１６の終端壁１３２、１３４が容器１２の突合せ壁１７４、１７６を通過するまで刃１２４、１２６が外方へ付勢される様に、ロックキャップ１６を容器の後部へ押圧することによって、容器へのロックキャップの取り付けが容易に達成されるのに、ロックキャップは十分に柔軟である。ロックキャップが突合せ壁を一旦通過すると、刃１２４、１２６は側方溝１７０、１７２内へ急に嵌まって、図２に示されている様にロックキャップが容器上へ置かれることを可能にする。この状態では、容器に対するロックキャップの摺動後方移動を、ロックキャップの刃１２４、１２６の終端壁１３２、１３４と容器１２の突合せ壁１７４、１７６とが制限している。同時に、容器の棚１７８、１８０上を摺動する様にロックキャップのレール１４０、１４２が整列され、ロックキャップ１６が前方へ動かされると、横鍔１４６と筋交い１４８とが容器の横溝１８２の頂壁１８４の下を摺動することができる。なお、ロック構造の刃及びレールと容器の溝及び棚とは、本考案から逸脱することなく異なる様に設計されてよい。
【００１７】
容器１２の開口４４を囲んでいるリム４６の銃剣突起４８、５０、５２にカラー７０の突起を整列させることによって、噴出口アセンブリ１４が容器１２に取り付けられる。噴出口アセンブリを約４５度の角度に亙って回転させることによって、カラーが容器のリムの周囲に係合して、図１、２に示されている様に噴出口アセンブリを取り付ける。
【００１８】
製品で満たされた後、投与容器１０は図１に示されている形態で小売店へ出荷されてよい。小売店では、この投与装置は販売用に展示されるが閉鎖状態に維持される。消費者による購買後、この消費者が自分の芝生に製品を投与することを望むまで、この投与装置は閉鎖状態に維持されてよい。この投与装置の作動は簡単で容易に実行される。導管１００の中間壁１０６の突合せ端１０７が容器の頂壁５６と突き合わさる様に、この噴出口アセンブリが片手で押下される。同時に、ロックキャップが後方へ摺動され、それによって噴出口アセンブリの頂部突起１１６がロックキャップの唇部１６０を曲げて、このロックキャップが図２に示されている様なその解放位置へ置かれることを可能にする。その後、噴出口アセンブリは、図１に示されている位置へ軸１８の周りに回転させられる。使用者は、容器の把手２２を握り、投与装置を傾けて、中の製品に重力が作用することを可能にする。噴出口アセンブリを回転させることによって、噴出口アセンブリの通路が開いて、製品が投与されることを可能にする。
【００１９】
使用後は、単に、投与装置を直立姿勢へ戻し、噴出口アセンブリを軸１８の周りに元の閉鎖位置へ回転させ、導管７２を頂壁５６に当て、ロックキャップを前方へ摺動させて、図１に示されている様にロックキャップ中の孔１５０によって噴出口アセンブリの頂部突起１１６が受け入れられるまで頂部突起にロックキャップの唇部１６０を曲げさせることによって、投与装置が再封止されてよい。この状態で投与装置が後の使用のために保管されてよい。
【００２０】
以上の明細書は本考案の好ましい実施形態を詳細に説明している。その他の実施例、実施形態、修正及び変更は、文字通りの請求の範囲の文言と均等論との両方によって、添付の請求の範囲によって定義されている本考案の範囲に含まれる。例えば、容器、噴出口構造及びロック構造の意匠及び寸法は変更されてよく、または異なる材料が使用されてよく、これらは均等な構造であると依然として考えられ且つ文字通りの請求の範囲の文言にも含まれる。更にその他の代替手段も、多くの新しい技術がそうである様に均等である。均等論の適用を何らかの方法で制限することも、本考案の範囲を制限つまり限定することも、本明細書では願望も意図もされていない。
【図面の簡単な説明】
【００２１】
【図１】閉鎖位置にある本考案の投与装置の下向きに見た等角図であり、この投与装置は容器、投与構造及びロック構造を含んでいる。
【図２】開放投与位置にある図１に示されている投与装置の等角図である。
【図３】図１、２に示されている投与装置の容器の正面図である。
【図４】図３に示されている容器の側面図である。
【図５】図３−４に示されている容器の背面図である。
【図６】図３−５に示されている容器の平面図である。
【図７】図６の線７−７に沿う断面図である。
【図８】投与構造の導管の下向きに見た等角図である。
【図９】図８に示されている導管の上向きに見た等角図である。
【図１０】投与構造の回転軸の等角図である。
【図１１】投与構造のカラーの側面図である。
【図１２】カラーの前面図である。
【図１３】図１−２に示されているロック構造の背面等角図である。
【図１４】ロック構造の前面等角図である。
【図１５】ロック構造の背面図である。
【図１６】ロック構造の底面図である。
【図１７】図１５の線１７−１７に沿う断面図である。
【図１】
0003143955.tif 000003
【図２】
0003143955.tif 000004
【図３】
0003143955.tif 000005
【図４】
0003143955.tif 000006
【図５】
0003143955.tif 000007
【図６】
0003143955.tif 000008
【図７】
0003143955.tif 000009
【図８】
0003143955.tif 000010
【図９】
0003143955.tif 000011
【図１０】
0003143955.tif 000012
【図１１】
0003143955.tif 000013
【図１２】
0003143955.tif 000014
【図１３】
0003143955.tif 000015
【図１４】
0003143955.tif 000016
【図１５】
0003143955.tif 000017
【図１６】
0003143955.tif 000018
【図１７】
0003143955.tif 000019